(57)【要約】【課題】外耳部３０周辺のアクセサリー装飾を可能とすると共に、装飾性と装着性を併せ持つイヤリング１０の提供を図る。【解決手段】外耳部３０の根元形状に打ち抜き成形される略環状の掛止部２０と、該掛止部２０に装設される装飾部材２１と、で形成される手段と、前記掛止部２０が弾性変形素材Ｄで形成され、該略環状の一部に分割スリット２２を設けた手段と、前記掛止部２０がチェーン２３で形成されると共に、該チェーン２３の一部に長さ調整機能２４を設けた手段と、前記掛止部２０がビーズまたは珠状の宝石２７で形成されると共に、該ビーズまたは珠状の宝石２７を連結する手段が伸縮自在の素材Ｓで形成される手段と、前記掛止部２０が装飾紐２８で形成されると共に、該装飾紐２８の一部が伸縮自在の素材Ｓで形成される手段を採る。【選択図】図１
2014033957.tif 000002
【特許請求の範囲】
【請求項１】
外耳部の根元形状に打ち抜き成形される略環状の掛止部と、該掛止部に装設される装飾部材と、で形成されることを特徴とするイヤリング。
【請求項２】
前記掛止部が弾性変形素材で形成され、該略環状の一部に分割スリットを設けたことを特徴とする請求項１記載のイヤリング。
【請求項３】
前記掛止部がチェーンで形成されると共に、該チェーンの一部に長さ調整機能を設けたことを特徴とする請求項１記載のイヤリング。
【請求項４】
前記掛止部がビーズまたは珠状の宝石で形成されると共に、該ビーズまたは珠状の宝石を連結する手段が伸縮自在の素材で形成されることを特徴とする請求項１記載のイヤリング。
【請求項５】
前記掛止部が装飾紐で形成されると共に、該装飾紐の一部が伸縮自在の素材で形成されることを特徴とする請求項１記載のイヤリング。
【発明の詳細な説明】
【技術分野】
【０００１】  本発明は、外耳部周辺のアクセサリー装飾を可能とすると共に、装飾性と装着性を併せ持つイヤリングに関する。
【背景技術】
【０００２】  従来のイヤリングは、ピアス式、ネジ式、バネ式、クリップ式、マグネット式などの多様な装着手段によって提供されている。【０００３】  しかしながら、耳に穴を空けるピアス式のイヤリングは、装着時に痛みと圧迫感が感じられ、さらに長時間装着していると痺れや不快感が伴うものである。また耳に穴を空ける施術費用がかかる上、該孔を空けた部分を清潔に保たないと化膿することがある。さらに施術後、一定期間毎日消毒をしなければならないことや、孔の形状が安定するまでは孔が閉じてしまわない様に孔の形状を常に調整しなければならないという手間がかかるものである。また金属の種類によっては金属アレルギーを起こしやすいことや、留金とイヤリング本体が差し込み式になっているので、一方の部品を紛失すると新たに購入しなければならないことや、留金とイヤリング本体が分離しているため紛失しやすいといった多くの問題点があるものであった。【０００４】  また、耳たぶを挟むネジ式、バネ式、クリップ式、マグネット式のイヤリングは、装脱着が面倒で長時間装着した時に痛みや圧迫感が感じられるため、装着意欲が減退するものであり、さらに外出途中で耳の痛みや、頭痛によって一時期的に取り外した場合に紛失する可能性があるなどの問題点があるものであった。【０００５】  以上のようなイヤリングの装着時における問題点を解決しようとする提案がなされている。例えば、独立した位置で身体の各々他の部分に着用される一以上のアクセサリー本体と，独立した身体部分に着用されるように分離している上記アクセサリー本体を連結し合う一つまたはそれ以上のチェーンと、上記アクセサリー本体と上記チェーンを連結するために上記チェーン及び上記アクセサリー本体にそれぞれ具備された連結部とを具備して、チェーン側の連結部は上記アクセサリー本体と上記チェーンを着脱させるための分解結合端を具備したことを特徴とする「チェーンを利用したアクセサリーカップリング」（特許文献１）が提案されている。【０００６】  しかしながら、かかる「チェーンを利用したアクセサリーカップリング」の提案は、身体に着用するアクセサリーをチェーンカップリングで連結して単調なアクセサリーデザインの装飾的な美感を変化させ、着用部位別に独立して分散しているアクセサリーの装飾的な美感を一体感と統一感があるように演出したチェーンを利用したアクセサリーカップリングであるが、イヤリングとして使用した場合にチェーン自体の長さが必要以上に長くなることによって、アクセサリー効果が過剰になりがちになることや、装着感がうっとうしく軽装で装着するイヤリングとしては適するものではなかった。【０００７】  また、ハグ・イヤリング本体の装脱着する部分に大小の円形あるいは楕円形のハグボタンを前後３〜４ｍｍの間隔を空けて取り付けたことにより耳を傷つけることなく容易に上部耳介にハグボタンを抱きかかえるように挟み込み、耳介に沿って下方にスライドさせ、耳たぶ上部の外耳道に止まったところで装着が完了し、外耳道に圧迫固定していないため、イヤリングは自在に動くが容易に脱着することはなく、取り外すときは装着時の反対方向にスライドさせて容易に取り外すことが出来るようにしたことを特徴とする「ハグ式イヤリング」（特許文献２）が提案されている。【０００８】  しかしながら、かかる「ハグ式イヤリング」の提案は、ピアスのように耳に穴を空けたり、又バネやネジ式のイヤリングと異なり、装着時の痛み、圧迫感、不快感、重さを感じることがなく、長時間でも着用出来、外耳道に引っ掛るため、はずれにくく、取り付け、取り外しが容易とすることができるとされるイヤリングではあるが、ハグ式イヤリングを敏感神経が集中する外耳孔の近くに装着するため、装着時における痛み、圧迫感、不快感、重さ等の装着感は従来に増して違和感を感じさせるものであった。【０００９】  また、耳の上部付け根に係脱自在に係止されるフックと、耳たぶに着脱自在に取り付けられる装飾体と、前記フックと前記装飾体を連結する連結材とからなることを特徴とする「イヤリング」（特許文献３）が提案されている。【００１０】  しかしながら、かかる「イヤリング」の提案は、耳からの脱落を防止すると共に、商品価値を高めることを目的として形成されるイヤリングであって、装飾価値を高める構造または手段を備えるイヤリングではなかった。【００１１】  以上のように従来のイヤリングの多くは、イヤリングの装着構造ならびに装着手段に対する提案であって、本発明のような装飾性と装着性を併せ持つイヤリングの提案ではなかった。【００１２】  本出願人は、以上のような従来のイヤリングの現状を鑑み、イヤリングの保持具の形状に着目し、イヤリングの保持具自体に装飾性と装着性を併せ持つことができないものかという着想下、該保持具を外耳部の根元形状に打ち抜き成形される略環状の掛止部と、該掛止部に装設される装飾部材と、で形成することによって、従来にない装飾性と装着性を併せ持つイヤリングを開発し、本発明における「イヤリング」の提案に至るものである。
【先行技術文献】
【特許文献】
【００１３】
【特許文献１】特開２０１０−２１４０８４号公報
【特許文献２】実用新案登録第３１４９８０８号公報
【特許文献３】特開平８−３３６４０７号公報
【発明の概要】
【発明が解決しようとする課題】
【００１４】  本発明は、上記問題点に鑑み、外耳部周辺のアクセサリー装飾を可能とすると共に、装飾性と装着性を併せ持つイヤリングの提供を図る。
【課題を解決するための手段】
【００１５】  本発明のイヤリングは、外耳部の根元形状に打ち抜き成形される略環状の掛止部と、該掛止部に装設される装飾部材と、で形成される手段を採用する。【００１６】  また本発明のイヤリングは、前記掛止部が弾性変形素材で形成され、該略環状の一部に分割スリットを設けた手段を採用する。【００１７】  また本発明のイヤリングは、前記掛止部がチェーンで形成されると共に、該チェーンの一部に長さ調整機能を設けた手段を採用する。【００１８】  また本発明のイヤリングは、前記掛止部がビーズまたは珠状の宝石で形成されると共に、該ビーズまたは珠状の宝石を連結する手段が伸縮自在の素材で形成される手段を採用する。【００１９】  また本発明のイヤリングは、前記掛止部が装飾紐で形成されると共に、該装飾紐の一部が伸縮自在の素材で形成される手段を採用する。
【発明の効果】
【００２０】  本発明のイヤリングによれば、外耳部の根元形状に打ち抜き成形される略環状の掛止部と、該掛止部に装設される装飾部材と、で形成されることによって、装飾宝石品、コスプレファッション、おしゃれグッズなどの装飾性と装着性を併せ持つイヤリングを提供することができる。【００２１】  また、本発明のイヤリングによれば、掛止部が弾性変形素材で形成され、さらに該略環状の一部に分割スリットを設けることによって、イヤリングを装着者の外耳部の大きさに合わせて調整することができる。【００２２】  また、本発明のイヤリングによれば、掛止部がチェーンで形成されると共に、該チェーンの一部に長さ調整機能を設けることによって、チェーンの長さを装着者の外耳部の大きさに合わせて調整することができる。【００２３】  また、本発明のイヤリングによれば、ビーズまたは珠状の宝石を連結する手段が伸縮自在の素材で形成されることによって、ビーズまたは珠状の宝石の長さを装着者の外耳部の大きさに合わせて調整することができる。【００２４】  また、本発明のイヤリングによれば、掛止部が装飾紐で形成されると共に、該装飾紐の一部が伸縮自在の素材で形成されることによって、装飾紐の長さを装着者の外耳部の大きさに合わせて調整することができる。【００２５】  また、本発明のイヤリングによれば、ピアス式、ネジ式、バネ式、クリップ式、マグネット式などの狭持構造を備えていないため、構造がシンプルである、装着が簡単である、製造コストが低廉である、といった特徴を有すると共に、従来のイヤリングにおける痛みや違和感などの装着性の問題点も解決することができる。
【図面の簡単な説明】
【００２６】
【図１】本発明の請求項１記載のイヤリングを示す説明図である。（実施例１）
【図２】本発明の請求項２記載のイヤリングを示す説明図である。（実施例２）
【図３】本発明の請求項３記載のイヤリングを示す説明図である。（実施例３）
【図４】本発明の請求項４記載のイヤリングを示す説明図である。（実施例４）
【図５】本発明の請求項５記載のイヤリングを示す説明図である。（実施例５）
【発明を実施するための形態】
【００２７】  本発明のイヤリング１０は、外耳部３０の根元形状に打ち抜き成形される略環状の掛止部２０と、該掛止部２０に装設される装飾部材２１と、で形成される手段を採用したことを最大の特徴とするもので、以下、実施例を図面を基に説明する。
【００２８】  また、本発明のイヤリング１０の形状ならびに材質は、下記に述べる実施例に特に限定されるものでなく、本発明の技術的思想に逸脱しない範囲で任意に変更することができる。
【実施例１】
【００２９】  図１は、本発明の請求項１記載のイヤリング１０を示す説明図である。
本発明のイヤリング１０は、外耳部３０の根元形状に打ち抜き成形される略環状の掛止部２０と、該掛止部２０に装設される装飾部材２１と、で形成される。【００３０】  掛止部２０は、外耳部３０の根元形状に打ち抜き成形される略環状の装飾金属の一部にダイアモンド等の宝石やデザインされた装飾部材２１が装設される。【００３１】  図１（ａ）は掛止部２０の前方に装飾加工を施した実施形態と、外耳部３０に装着した状態の実施形態を示す。
例えば、イヤリング１０を色彩豊かな合成樹脂素材で形成し、掛止部２０の前方にファッション性豊かな装飾加工を施すことによって、イヤリングの種類を趣味、衣装、外出先などに合わせてコーデェネートすることで時と場所と目的に合わせて多彩に装着することができる。【００３２】  図１（ｂ）は掛止部２０の中央に装飾加工を施した実施形態を示す。
例えば、イヤリング１０をプラチナや銀製の装飾金属で形成し、掛止部２０の中央に高級な宝石を装着することによって、従来飾られることがなかった耳珠部３１を装飾することができるため、従来にないインパクトがある個性豊かなイヤリングの提供が図られる。【００３３】  図１（ｃ）は掛止部２０の後方に装飾加工を施した実施形態を示す。
例えば、イヤリング１０を色彩豊かな合成樹脂素材で形成し、掛止部２０の後方にコスプレファッション性のある装飾加工を施すことによって、趣味性豊かなイヤリングの提供が図られる。【００３４】  図１（ｄ）は掛止部２０の全体に防寒加工を施した実施形態を示す。
例えば、イヤリング１０を合成樹脂素材で形成し、掛止部２０の全体にファッション性ある毛皮等の防寒加工を施すことによって、従来にない個性性豊かな防寒イヤリングの提供が図られる。【００３５】  以上で構成される本発明の請求項１記載のイヤリング１０は、掛止部２０の形状を装飾宝石品、コスプレファッション、おしゃれグッズなどの装飾性と装着性を併せ持つイヤリング１０として使用されるもので、さらに外耳部３０の根元形状に打ち抜き成形される略環状の掛止部２０によって外耳部３０全体を包み込むように装着することによって、ピアス式、ネジ式、バネ式、クリップ式、マグネット式などの狭持式のイヤリングにおける装着性の問題点を解決することができる。
【実施例２】
【００３６】  図２は、本発明の請求項２記載のイヤリング１０を示す説明図である。
本発明のイヤリング１０は、掛止部２０が弾性変形素材Ｄで形成され、該略環状の一部に分割スリット２２を設けて形成される。【００３７】  掛止部２０は、例えば、合成樹脂素材、バネ金属、天然ゴム材等の弾性変形素材Ｄで形成され、装着者の外耳部３０の大きさに合わせて装着される。【００３８】  分割スリット２２は、合成樹脂素材、弾性金属、天然ゴム材等の弾性変形素材Ｄの変形量以上の変形量を備えて装着者の外耳部３０の大きさに合わせて装着するために設けられる。【００３９】  図に示すようなイヤリング１０をプラチナや銀製の装飾金属で形成し、掛止部２０の中央に高級な宝石等の装飾部材２１を装着した場合、従来飾られることがなかった耳珠部３１を装飾することができるため、インパクトがある個性豊かなイヤリング１０の提供が図られる共に、掛止部２０に分割スリット２２が設けられることによって、装着者の外耳部３０の大きさに合わせて掛止部２０を調整して装着することができる。【００４０】  以上で構成される本発明の請求項２記載のイヤリング１０は、分割スリット２２が装着者の外耳部３０の裏側に隠れるため、外見的に装飾性に優れたイヤリング１０の提供が図られる。
【実施例３】
【００４１】  図３は、本発明の請求項３記載のイヤリング１０を示す説明図である。
本発明のイヤリング１０は、掛止部２０がチェーン２３で形成されると共に、該チェーン２０の一部に長さ調整機能２４を設けて形成される。【００４２】  チェーン２３は、鎖状または珠玉状に形成される環状の連結部を連続して設けられる装飾性を施した合成樹脂素材や金属素材で形成される。【００４３】  長さ調整機能２４は、フック部２５と連続する係止環２６で形成され、使用者の外耳部３０の大きさに合わせて連結位置をずらして係止される。【００４４】  以上で構成される本発明の請求項３記載のイヤリング１０は、長さ調整機能２４が装着者の外耳部３０の裏側に隠れるため、外見的に装飾性に優れたイヤリング１０が提供できると共に、装着者の外耳部３０の大きさに合わせてチェーン２３の長さを調整することができる。
【実施例４】
【００４５】  図４は、本発明の請求項４記載のイヤリング１０を示す説明図である。
本発明のイヤリング１０は、掛止部２０がビーズまたは珠状の宝石２７で形成されると共に、該ビーズまたは珠状の宝石２７を連結する手段が伸縮自在の素材Ｓで形成される。【００４６】  ビーズまたは珠状の宝石２７は、例えば、円筒状または珠状の合成樹脂素材または天然石を素材として形成される。【００４７】  伸縮自在の素材Ｓは、ビーズまたは珠状の宝石２７を連続的に連結するもので、例えば伸縮性のあるテグス、天然ゴム、合成樹脂素材、伸縮性のある組紐等が用いられる。【００４８】  以上で構成される本発明の請求項４記載のイヤリング１０は、掛止部２０がビーズまたは珠状の宝石２７で形成されると共に、該ビーズまたは珠状の宝石２７を連結する手段が伸縮自在の素材Ｓで形成されることによって、装着者の外耳部３０の大きさにあわせてビーズまたは珠状の宝石２７の長さを調整することができる。
【実施例５】
【００４９】  図５は、本発明の請求項５記載のイヤリング１０を示す説明図である。
本発明のイヤリング１０は、掛止部２０が装飾紐２８で形成されると共に、該装飾紐２８の一部が伸縮自在の素材Ｓで形成される。【００５０】  装飾紐２８は、色彩豊かな繊維製の組紐で形成される。【００５１】  伸縮自在の素材Ｓは、組紐の一部を連結するもので、例えば、伸縮性のあるテグス、天然ゴム、合成樹脂素材等が用いられる。【００５２】  以上で構成される本発明の請求項５記載のイヤリング１０は、掛止部２０が装飾紐２８で形成されると共に、該装飾紐２８の一部が伸縮自在の素材Ｓで形成される手段を採ることによって、装着者の外耳部３０の大きさにあわせて装飾紐２８の長さを調整することができる。
【産業上の利用可能性】
【００５３】  本発明のイヤリングは、装飾宝石品、コスプレファッション、キッズおしゃれグッズなどの分野で中広く利用することができるもので、本発明におけるイヤリングの産業上の利用可能性は大とするものと解する。
【符号の説明】
【００５４】１０  イヤリング
２０  掛止部
２１  装飾部材
２２  分割スリット
２３  チェーン
２４  長さ調整機能
２５  フック部
２６  係止環
２７  ビーズまたは珠状の宝石
２８  装飾紐
３０  外耳部
３１  耳珠部
３２  耳たぶ部
Ｄ  弾性変形素材
Ｓ  伸縮自在の素材
【図１】
2014033957.tif 000003
【図２】
2014033957.tif 000004
【図３】
2014033957.tif 000005
【図４】
2014033957.tif 000006
【図５】
2014033957.tif 000007